(57)【特許請求の範囲】
【請求項１】
内プローブと外プローブを含むプローブであって、プローブへの流体の通過を可能にする開放位置と、閉鎖位置間を前記内プローブと外プローブが可逆的に移動するプローブ（１２０）、および
前記プローブ（１２０）を受けることのできる寸法および形態に相補的に形成されたバングカップ(bung cup)（８００）を含み、
前記プローブ（１２０）は、複数の突起（９２０）を有する相補的に形成された前記バングカップ（８００）と共働して前記プローブ（１２０）の完全挿入を可能にしかつ前記プローブ（１２０）への流体の通過を可能にするための、複数の窪み（３２０）を有する形態を有し、
前記プローブ（１２０）上の窪み（３２０）は前記バングカップ（８００）への前記プローブ（１２０）の完全挿入を達成するために必要であり、
前記プローブ（１２０）は、前記プローブ（１２０）を前記バングカップ（８００）へ係止するために、前記バングカップ（８００）の係止チャンネル（８３０）により受けられる一対の係止ペグ（３４０）を更に含み、
前記プローブ（１２０）は、各前記窪み（３２０）が各前記係止ペグ（３４０）と軸方向に整列するように形成されている、ロックアウトカプラー（１００）。
【請求項２】
各前記窪み（３２０）および各前記突起（９２０）は、それぞれ、相互に対応する前記係止ペグ（３４０）および前記係止チャンネル（８３０）に対して、垂直軸を中心に軸方向に３０°間隔で形成されている、請求項１に記載のロックアウトカプラー（１００）。
【請求項３】
各前記窪み（３２０）および各前記突起（９２０）は、それぞれ、相互に対応する前記係止ペグ（３４０）および前記係止チャンネル（８３０）に対して、垂直軸を中心に軸方向に０°、３０°、６０°、９０°、１２０°、または１５０°の配向で形成されている、請求項１に記載のロックアウトカプラー（１００）。
【発明の詳細な説明】
【０００１】
発明の分野
本発明は化学物質を分配するために使用される装置に関する。本発明は特に、配合時に望ましくない反応副産物の生成に繋がる液体化学物質として形成される不適合化学物質を分配するのに適している。本発明は偶発的配合または不適当な接触を伴うことなく不適合化学物質を分配するために使用できるユニークな幾何学的ロックアウトカプラーに関する。
【０００２】
発明の背景
ランドリー洗濯等の多くのプロセスは１つ以上の化学物質を使用する。かかる化学物質は有機界面活性剤、非イオン系リンス補助剤、酸組成物、アルカリ組成物、塩素系ブリーチ組成物、アルカリ物質、および広範囲の他の洗浄または処理物質を含む。かかる物質はしばしば使用場所に適した実質的機能性を有するが、他の不適合化学物質と配合する場合、かかる配合物は反応副産物を生成し、使用場所の作用、ディスペンサの作用に干渉したり、またはウエア、ランドリー、テキスタイル、または他の材料等その機械内に存在する物を干渉または破損する。更に、配合した場合に、ある化学物質は爆発性または毒性であったりする。ある種の化学物質の混合は爆発事件に繋がる水素ガスを発生させることになる。
【０００３】
従来技術は液体化学物質を概ね容器源からラインを通ってポンプへ分配し、液体化学物質はそこで使用場所で終端する共通または分離のマニホールドへ導入される。かかる従来システムを使用する場合の不適正な化学物質源の不正確なラインへの接続は、ディスペンサまたは使用場所の反応液を損害または危険のある望ましくない反応副産物の生成と接触させることになる。
【０００４】
不適合化学物質間の不適切な接触を防止し、それにより危険な副産物の同時生成を防止できるカプラー装置に対する実質的ニーズがある。
【０００５】
発明の概要
本発明は開放位置と閉鎖位置間で可逆的に移動することのできるプローブを含む幾何学的ロックアウトカプラー組立体を提供する。開放位置は前記プローブへの流体の通過を可能にする。前記カプラー組立体は更に前記プローブを受けることのできる寸法および形態を有するバングカップ（bung cup）を含む。前記プローブは前記プローブへの流体の通過を可能にするが、他のプローブとの共働を可能にしない相補的に形成されたバングカップと共働する幾何学的形態を有する。ここで、バングカップ（bung cup）とは、プローブがカプラーの雄部であるのに対して、プローブを受けるカプラーの雌部を言う。
【０００６】
ここで、相補的に形成されたとは、前記バングカップが正確な幾何学形態を有するプローブを完全に受けることを可能にするが、他の幾何学形態を有するプローブを受けつけないユニークな幾何学形態を有することを意味することを意図している。例えば、図９は図４に示されたプローブに対して相補的に形成されたバングカップを示す。図１２および１３は他のプローブおよび相補的に形成されたバングカップを示す。後述するように、それぞれのプローブおよび適合するバングカップは供給ラインを不正確な供給ドラムもしくは他の容器へ取り付けることによって生じる不適合化学物質の偶発的配合を阻止する特定の幾何学形態を含む。
【０００７】
本発明は更に、内プローブおよび外プローブを有するプローブ、および相補的に形成されたバングカップを含む幾何学的ロックアウトカプラー組立体を提供する。前記内プローブおよび外プローブは前記プローブへの流体の通過を可能にする開放位置と、閉鎖位置間を相互に対して軸方向へ可逆的に移動することができる。前記内プローブは流体が通過できる中空シリンダ、および前記プローブが開放位置のときに前記流体の進入を可能にする１またはそれ以上の窓を有する。前記プローブは前記プローブの前記バングカップへの挿入を可能にするために前記相補的に形成されたバングカップと共働する幾何学的形態を有する。
【０００８】
本発明は更に、内プローブおよび外プローブを有するプローブ、および前記プローブを受けることのできる寸法および形態に相補的に形成されたバングカップを含む幾何学的ロックアウトカプラーを提供する。前記内プローブは流体が通過できる中空シリンダ、および前記流体の進入を可能にする１またはそれ以上の窓を有し、かつ更に複数のスライダペグを有する。前記外プローブは、前記内プローブ上での前記外プローブの軸方向および半径方向への同時移動を可能にするために前記スライダペグと共働する複数のスライダトラックを有し、それにより流体の前記プローブへの通過を可能にするために前記窓を可逆的に開放する。前記外プローブは更に複数の係止ペグを有する。前記プローブは前記プローブの挿入を完全にするための複数の突起を有する相補的に形成されたバングカップと共働する複数の窪みを有する幾何学的形態を更に含む。
本発明は更に、ドラムバングに取り付けるのに適した第一端部、およびデップ管に取り付けるのに適した第二端部を有する中空シリンダから成る幾何学的ロックアウトバングカップを提供する。前記第一端部は好ましくは半径方向へ１８０°に配設された複数のロックアウトトラックを有する。前記第二端部は前記バングカップに使用される前記デップ管の進入深さを制限するカラー、および前記ロックアウトトラックに対して所定半径位置に配設された複数の突起を有する。
【０００９】
他の実施形態において、本発明は内プローブおよび外プローブ有するプローブ、ならびにバングカップを含む幾何学的ロックアウトカプラー組立体を提供する。前記プローブは第一端部および第二端部を有し、前記第一端部は係合面および流体出口点を有し、かつ前記第二端部は流体入口点を有する。前記内プローブは流体が通過できる中空シリンダ、および前記流体の進入を可能にする１またはそれ以上の窓を有し、前記内プローブの窓は前記流体入口点に対応している。
【００１０】
前記内プローブは複数のスライダペグを更に有し、かつ前記外プローブは、前記外プローブを前記内プローブ上で軸方向および半径方向へ同時に移動させるために、前記スライダペグと共働する複数のスライダトラックを有し、それにより前記プローブへの流体の通過を可能にするために前記窓を可逆的に開放する。前記外プローブは複数の係止ペグを更に含む。前記プローブは、前記プローブの完全挿入を可能にするが他のプローブの前記バングカップとの共働を阻止するために複数の突起を有する相補的に形成されたバングカップと共働する複数の窪みを有する幾何学的形態を有する。
【００１１】
本発明は更に、不適合化学物質を分配するためのシステムを提供する。このシステムは複数のプローブおよび複数のバングカップを含み、前記プローブの各々は開放位置および閉鎖位置を有し、前記開放位置は前記プローブへの流体の通過を可能にし、前記プローブの各々は明瞭な幾何学的形態を有するロックアウト部を有し、かつ前記バングカップの各々は前記複数のプローブから選択された１つの適合するプローブのロックアウト部を完全に受ける構成であり、前記バングカップは更に前記適合するプローブを開放位置へ回転させるように形成されている。
【００１２】
発明の詳細な説明
本発明のロックアウトカプラーは化学物質の流れを衣類洗濯機またはランドリー機等の使用場所へ分配するために使用できる。本発明の幾何学的ロックアウトカプラーはプローブおよび前記プローブを受けるためのバングカップを含み、前記プローブおよびバングカップは共働して液体の前記プローブへの分配を可能にする。前記バングカップは代表的にはそのシステムを使用して分配される物質の容器のバングに着座する。前記プローブおよびバングカップは幾何学的形態を有し、前記プローブが特に設計されたバングカップとのみ共働するようになっている。従って、所定プローブは特定形態のバングカップへのみ挿入可能である。結果として、システムは、例えば化学物質、ブリーチを分配するために使用される所定プローブが不適合化学物質、例えば酸性化薬剤を分配するために使用されるバングカップへ挿入できないように構成される。
【００１３】
前記プローブはそのカップリングの雄部であり、前記バングカップは対応する雌部である。本発明の一実施形態において、前記プローブおよび前記バングカップの幾何学的形態は適合する窪みおよび突起を含む。この実施形態において、各ロックアウトカップリングは前記プローブ上に複数の窪み、および前記バングカップ上に複数の突起を含む。好適には、一対の軸方向に対峙する窪みが前記プローブ上に形成され、かつ一対の軸方向に対峙する突起が前記バングカップ上に形成される。ただし、他の形態が可能でありかつ本発明により意図されている。これらの窪みおよび突起は異なるカップリングにおいて垂直軸を中心に回転してよく、それにより外プローブ上に存在する係止ペグおよび対応するバングカップ上に存在する対応する係止チャンネルとの軸関係を変化させることにより複数の相互に排他的カップリングを提供する。
【００１４】
好適には、前記窪みおよび突起は垂直軸を中心に半径方向に３０°のインターバルで回転する。これらの角度は、前記プローブ上に存在する係止ペグ（および対応するバングカップ内の係止チャンネル）に対する前記プローブ上の窪み（そして前記バングカップ上の対応する突起）の相対的位置を形成する。好適には、各窪みおよび突起は他の窪みおよび突起に対してそれぞれ１８０°で対峙する。かかるシステムにおいて、６個の異なるカプラーが設けられ、各カプラーのプローブおよびバングカップは相互に対してのみ作用し、そのシステムの他の５個のプローブおよびバングカップに作用しない。かかるシステムにおいて６個の異なるカプラーは対応する係止ペグおよび係止チャンネルに対してそれぞれ、０°、３０°、６０°、９０°１２０°および１５０°の配向で突起および窪みを有する。
【００１５】
多くの他の幾何学的形態が本発明に使用できかつ本発明により意図されている。例えば、前記プローブの一部は、円形、四辺形、三角形または六角形等の幾何学的外形を有する。この実施形態において、相補的形態のバングカップは前記プローブの外幾何学的形態を受けるための一部を有する。三角形部を有するプローブは、例えば、六角形受け部を有するバングカップへ完全に挿入させることはできない。
【００１６】
他の可能な幾何学的形態のプローブはそのプローブ上に係止ペグの位置を含む。前記係止ペグと前記プローブの上部または下部間の距離は変化している。相補的形態のバングカップにおいて、係止チャンネルの形態または長手は対応するプローブに適合するように変化している。多くの他の幾何学的形態が同様に本発明との関係で使用できる。更に、共に使用可能なプローブおよびバングカップは識別を容易にするためにカラーコードが付けられる。
【００１７】
分配される化学物質
本発明の幾何学的ロックアウトカプラーに使用できる分配溶剤の例は固体、粉体、および液体洗剤、洗剤分散濃縮液、粘性液体洗剤、色抜き剤（strippers)、脱脂剤、酸性化剤、アルカリ金属珪酸塩、アルカリ金属水酸化物、分離剤、酵素組成物（脂肪分解性、蛋白分解性等）限界剤（threshold agent）、染料、蛍光漂白剤、非イオン系界面活性剤、陰イオン系界面活性剤、芳香剤、アルカリ炭酸塩、鉄制御剤、泡制止剤、溶剤、助溶剤、ヒドロトロープ、リンス補助剤、ブリーチ、かつ／または布帛柔軟剤を含む。更に詳細には、ランドリー環境において、洗剤、ブリーチ、酸性化剤、青色剤（bluing agent)および布帛柔軟剤が本発明の幾何学的ロックアウトカプラーに連続的に使用できる。酸性化剤は概ね他の物質（例えば、洗剤がアルカリ、酸性化剤が酸性、概ねブリーチが典型的ナトリウム塩酸塩）と不適合である。多くの他の洗浄プロセスにおいて、配合物は不適合である。例えば、ｐＨの動作変化が生じ、または化学物質が反応し、それにより洗浄特性を低下または破壊する。
【００１８】
図面の詳細な説明
図１は分解状態で本発明の幾何学的ロックアウトカプラーの構成要素を示す。カプラー１００はプローブ組立体１２０およびバングカップ８００を含む。プローブ組立体１２０は内プローブ２００および外プローブ３００を含む。この図において、プローブ組立体１２０は液体がプローブ組立体１２０を通過できないように閉鎖される。
【００１９】
内プローブ２００と外プローブ３００間の相互作用はバネ負荷真空作動弁をプローブ本体内に必要としないプローブ組立体１２０の形成を可能にする。かかる弁はしばしば分配される化学物質と接触する金属部を有し、かつ従って、腐食および目詰まりになり易い。それに代わりに、内プローブ２００および外プローブ３００は共働して内プローブ２００内の窓を可逆的に開閉する。開放位置は図５に示されており、図１は閉鎖位置を示す。後述するように、プローブ組立体１２０のバングカップ８００への挿入および回転運動（閉鎖位置における）は共にそのユニークなロックアウト幾何学形状と係合しかつプローブ１２０を開放位置へ起き、それにより流体の通過を可能にする。
【００２０】
図１４は本発明の幾何学的ロックアウトカプラー１００，１０１が使用できる環境を示す。２つのバレル１４０２，１４０４が示されており、その各々が分配される溶液を含む。バレル１４０２，１４０４はそれぞれ供給ライン１４０６，１４０８に連結され、供給ラインは使用場所に溶液を供給するディスペンサに通じている。２つの幾何学的ロックアウトカプラー１００，１０１はバレル１４０２，１４０４を供給ライン１４０６，１４０８へ連結する手段を有する。
【００２１】
各ロックアウトカプラー１００，１０１はそれぞれプローブ組立体１２０，1２０a、および対応するバングカップ８００，８００aを含む。後述するように、これらの対のプローブ組立体１２０，１２０ａおよびバングカップ８００，８００aは不適合化学物質間の偶発的連絡を防止する。
【００２２】
図１および２を参照すると、内プローブ２００は容易使用のために、かつ使用者に係合面を提供するためにウイング２１０を有する。スライダペグ２３０（１つのみが示されている）は外プローブ３００内に内プローブ２００を移動自在に設置する働きをする。内プローブ２００は、また、内プローブ２００の上端部２６０を含み、これは種々の供給ラインの取付けに適したねじ切り孔を含む。
【００２３】
外プローブ３００は、閉鎖位置と開放位置間でプローブを移動させるために、内プローブ２００上に外プローブ３００を移動自在に設置する作用をするスライダトラック３１０を含む。図１は閉鎖位置を示し、図５はプローブ１２０の開放位置を示し、かつ図６はプローブ１２０の半開放位置を示す。次に図１を再度参照すると、外プローブ３００は同様に一対のＯリング溝330および332を有してよく、Ｏリング溝330および332はそれぞれＯリングを有していてプローブ組立体１２０とバングカップ８００間にシールを提供する。
【００２４】
図３に分離して示された外プローブ３００は、また、係止ペグ３４０を含み、係止ペグはバングカップ８００の係止チャンネル８３０に受けられ、かつプローブ１２０をバングカップ８００内に固定する。窪み３２０は外プローブ３００の下端部３５０に存在する。これらの窪み３２０は、本発明の１つの好適実施形態においてバングカップ８００の内面は突起を含むから、プローブ１２０のバングカップ８００への完全挿入を可能にするために必要とされる。バングカップ８００の突起は図９−１１を参照して後述される。
【００２５】
図１を参照すると、バングカップ８００は分配できる液体化学物質を保持するバレルまたは他の容器の上部に代表的に取り付けられる。代表例として、バングカップ８００は使用容易性のためにドラムバングへ接着される。ドラムバングはしばしばドラムまたは他の化学物質含有容器内に簡単に設置するためにねじ切りされる。バングカップ８００はドラムバングへ接合または音波溶接により取り付けられる。
【００２６】
バングカップ８００は中間部８１０および拡大上部８２０を含み、プローブ組立体１２０、もしくはカプラーの雄部を受ける作用をする。係止チャンネル８３０は複数あり、外プローブ３００上にある係止ペグ３４０を受ける作用をする。第一係止チャンネルは図１においてバングカップ８００の前側に８３０で示されている。第二係止チャンネルはこの実施形態においてバングカップ８００の反対側に位置する。下部８４０は適宜寸法のデップ管を受ける寸法である。
【００２７】
好適には、下部８４０はデップ管１４１２（図１４に示されている）との摩擦嵌めを促進するためにその内面上にネジまたは他の構造物を有する。好適ネジ１１１０は図１１に示されている。しかしながら、デップ管は、スピン溶接、超音波溶接等の適宜取付け方法または接着剤を使用してバングカップ８００に固定されてよい。デップ管の寸法は必要な流量により決定されてよい。共通デップ管の寸法は５／８インチ（約1.59ｃｍ）の内径である。図９はデップ管の進入を制限する作用をするカラー９１０を示す。
【００２８】
図２は内プローブ２００を示し、容易使用のため、かつグリップおよびトルク発生面を提供するためのウイング２１０を含む。１つのウイング２１０は識別タグまたはラベルをプローブ１２０に取り付けるために孔２７０を有していてよい。スライダペグ２３０（１つのみが示されている）は外プローブ３００内に内プローブ２００を移動自在に設置する作用をする。１つのスライダペグ２３０は内プローブ２００の前側に示され、かつ第二スライダペグ２３０は第一スライダペグと反対の内プローブ２００の他方側に設置されている。Ｏリング溝２６０はＯリング（図示せず）を有し、窓２５０（１つのみ示されている）は流体の通過を可能にする。第二窓２５０は図２に示された第一窓２５０の背後に直接形成され、それにより観察者は両方の窓２５０を介して図２の内プローブ２００の反対側を見ることができる。
【００２９】
図３は外プローブ３００を示す。外プローブ３００は内プローブ２００上に外プローブ３００を移動自在に設置する作用をする２つのスライダトラック３１０を含む。１つのスライダトラック３１０が示されているが、他方のスライダトラック３１０は外プローブ３００の反対側に形成されている。係止ペグ３４０および窪み３２０はバングカップへ完全に挿入するために必要とされるロックアウト幾何学の提供を助ける作用をする。
【００３０】
図４は内プローブ２００および外プローブ３００を含む結合プローブ組立体１２０を示す。この図において、前記プローブは完全閉鎖位置で示されている。スライダペグ２３０は外プローブ３００内のスライダトラック３１０を介して内プローブ２００を移動自在に設置する作用をする。この図において、スライダペグ２３０は上閉鎖位置に見られる。係止ペグ３４０および窪み３２０は相互に対して軸整列にある。バングカップに存在する係止チャンネルおよび突起への設置と共働して、この関係は本発明の１つの実施形態のディスペンサに使用されるカプラーのユニークな幾何学的ロックアウトの特徴を提供する。図示プローブ形態と適合するために、バングカップ８００は、図９に示されたように、ロックアウト突起９２０を係止チャンネル８３０と軸整列状態にする。窪み３２０は外プローブ３００のまわりを半径方向へ移動して付加的ロックアウト幾何学的形状を提供する。好適には、異なるカプラーにおいて複数の窪みが係止ペグ３４０との整列から３０°の倍数で半径方向に形成される。
【００３１】
図５は、流体がプローブ１２０を通過するように完全開放位置で結合されたプローブ１２０を示す。この図において、内プローブ２００は外プローブ３００へ向かって下方向に回転している。スライダペグ２３０はスライダトラック３１０内で下方向へ移動して下開放位置にある。この位置において、窓２５０、または流体入口は暴露され、適宜バングカップへ完全に挿入されたときに結合されているプローブを流体が通過するようにする。また、図５では内プローブ底面５１０が観察できる。
【００３２】
図６は部分的に開放された窓２５０により示されたように、部分的開放位置のプローブ組立体１２０を示す。更に、スライダペグ２３０はスライダトラック３１０内で中間位置にある。上述したように、プローブ組立体１２０は内プローブおよび外プローブ３００を有する。
【００３３】
図３および７はスライダトラック３１０を含む外プローブ３００を示す。各スライダトラック３１０の上部には内プローブ２００と外プローブ３００の結合プローブ組立体１２０への組立てを促進する傾斜チャンネル３０１がある。１つの傾斜チャンネル３０１のみが図３に示されているが、２つのスライダトラック３１０が傾斜チャンネル３０１に設けられてよい。
【００３４】
図７は、内プローブ２００および外プローブ３００をプローブ組立体１２０に組立てる前後の２つの位置における内プローブのスライダペグ２３０を示す図３の上部の断片断面図である。位置７３０はスライダトラック３１０へ傾斜チャンネル３０１を介して挿入する前のスライダペグ２３０を示し、かつ位置７３１は挿入後のスライダペグ２３０を示す。
【００３５】
プローブ組立体１２０は２つの部、即ち、内プローブ２００と外プローブ３００を含む。この２つの部は熱可塑性材料によって形成されるが、ダイキャストシステムを使用して金属から形成されてもよい。好適には、この内外プローブはガラス充填ポリプロピレンから射出成形される。２つの部の組立体は一緒になって１つのプローブとして開閉して物質の通過を可能にする機能を有する。対応する雌部、もしくはバングカップ８００は、好適には一片であり、かつ好適には高密度ポリエチレンの射出成形により形成される。これらの部は、また、適宜プラスチック材料により機械工作されてよい。
【００３６】
図９はカラー９１０を示し、カラー９１０はデップ管侵入を制限する作用をする。カラー９１０は複数のノッチ９３０（この図面では１つのみが示されている）を含み、このノッチは突起９２０の適正形態を確保するために射出成形工程で必要である。バングカップが機械工作される場合には、ノッチ９３０は必要ない。
【００３７】
前記内プローブは２つのスライダペグ２３０、Ｏリング溝２６０、および２つの窓２５０と共に構成される。スライダペグ２３０は外プローブ３００のスライダトラック３１０へスナップ係止される。窓２５０は、そのプローブが開放するときに流体の通過を可能にする。Ｏリング溝２６０は内プローブ２００と外プローブ３００間のタイトシールを形成するためにＯリングのためにある。外プローブ３００はスライダトラック３１０、係止ペグ３４０、２つのＯリング溝３３０と３３２、および一対の窪み３２０と共に構成される。スライダトラック３１０は内プローブ２００を案内して一定距離を突出させ、窓２５０を開放して物質の通過を可能にする。係止ペグ３４０は使用時に結合したプローブを所定位置に係止する。組立てのために、Ｏリングは内プローブ２００上に設置され、外プローブ３００は内プローブ２００の上方に設置され、スライダペグ２３０をスライダトラック３１０へスナップ係止する。結合したプローブの開閉を促進してプローブ組立体１２０を閉鎖位置へ付勢するために、バネもしくは弾性部材（図示せず）が内プローブ２０と外プローブ３００間に使用されてよい。
【００３８】
内プローブ２００および外プローブ３００がバングカップ８００と共働して供給ラインを化学物質貯蔵容器内にあるデップ管に密閉結合するときに、カプラー組立体１２０はその貯蔵容器の通気を可能にする形態にされてよい。係止チャンネル８３０は化学物質容器と周囲環境間での大気接触を可能にする。空気もしくは他の気体が係止チャンネル８３０を通ってバングカップ８００の上部８２０へ流れ、かつ拡大プローブ部２２０のまわりでバングカップ８００から流出する。かかる換気特性は、液体が引き出されるときに、そのドラムもしくは他の化学物質貯蔵容器への空気の通過を可能にし、それによりその容器内に大気圧を維持する。更に、この換気構成は化学物質それ自体の大気への通気を可能にする。例えばブリーチ等の一定の液体化学物質は実質的蒸気圧を有し、そのためにその容器内の定常圧を維持するために換気を必要とする。
【００３９】
図９はバングカップ８００の内部の一部を示す斜視図である。複数の突起（１つのみが示されている）がバングカップ８００の内面上に含まれている。突起９２０の目的は下端部に適合する窪み３２０を正確に位置決めするプローブ以外の他のプローブへのバングカップ８００の使用を防止することである。突起９２０は図示形態において係止ペグ３４０と軸方向に整列している。かかる窪み３２０を有しない場合、プローブ組立体は突起９２０によりバングカップ８００への完全挿入を停止させられる。
【００４０】
作用として、結合したプローブはバングカップ８００へ摺動し、係止ペグ３４０がバングカップの係止チャンネル８３０に沿って案内される。外プローブ３００の窪み３２０はロックアウト突起９２０を摺動して通過し、かつプローブはそれ以上回転できなくなるまで時計方向に回転する。結合したプローブが回転するときに、内プローブ２００はスライダペグ２３０に沿ってスライダトラック３１０を下へ摺動し、窓２５０を暴露する。窓２５０が一旦開放されると、その回転の後部はプローブを所定位置へ係止する。時計方向の回転の後部はプローブ１２０の係止ペグ３４０を図８に示された係止チャンネル８３０の中心上部８５０へ付勢する。回転の後部は、また、窪み３２０を突起９２０を越えて下方へ移動させ突起９２０を半径方向に通過し、それによりプローブ組立体１２０をバングカップ８００内に封止する。
【００４１】
図１１はバングカップ８００の断面図であり、上部８２０、中間部８１０、および下部８４０を含む。
【００４２】
図１２および図１３は本発明のロックアウトカプラーの他の実施形態を示し、プローブ組立体１２０ａおよびバングカップ８００ａを含む。同様部がプローブ組立体１２０ａ上に同様参照番号で示されている。窪み３２０ａは係止ペグ３４０ａとの軸整列から３０°である。対応するバングカップ８００ａにおいて、適合するロックアウト突起９２０ａは係止チャンネル８３０ａとの軸整列から３０°である。従って、プローブ組立体１２０ａはバングカップ８００ａに使用できるが、図８に示されたバングカップ８００には使用できない。
【００４３】
図４において、係止ペグ３４０は窪み３２０と軸整列にある。図９に示されたように、相補的形状のバングカップ８００は突起９２０と軸整列する係止チャンネル８３０を有する。これは図１３のプローブ１２０ａおよびバングカップ８００ａと対照的であり、ここではロックアウト構成要素は軸整列から３０°である。この結果、バングカップ８００はプローブ１２０に適合するように相補的形態に形成され、他方、バングカップ８００ａはプローブ１２０ａに適合するように相補的形態に形成され、そのようにして各バングカップは唯一のプローブを受ける。これはバングカップが相補的形態として説明されている理由である。
【００４４】
本発明によれば、少なくとも６つの異なるロックアウト形態がプローブ組立体１２０上で可能であり、前記複数の窪みはプローブ組立体の下端部のまわりで間隔をおいて３０°で形成されている。６つの異なる適合するロックアウト形態が本発明に使用できる６つの異なるバングカップに形成されてよく、突起９２０は６つの異なる位置でバングカップの内面上に各々３０°間隔で形成される。
【００４５】
使用容易性を促進するために、適合するプローブとバングカップはカラーコードが付けられるか、もしくは適合する対の確認を促進するために同様カラーを付けられる。例えば、プローブの係止ペグと窪み、およびバングカップの係止チャンネルと突起は、軸整列しているカプラーについて、そのプローブとバングカップは共に赤色であってよい。ロックアウト突起が軸整列から３０°である場合、そのプローブとバングカップは黄色であってよい。
【００４６】
図１４は本発明の幾何学的ロックアウトカプラーの使用のための１つの可能環境を示す。カプラー１００および１０１がここに概ね示されており、プローブ組立体１２０，１２０ａ，バングカップ８００，８００ａを含む。バレル１４０２，１４０４の各々は溶液を含み、ここでは２つの溶液がディスペンサ１４１０へ引き出され、かつ使用のために分配される。この溶液はバングカップ８００からバレル１４０２，１４０４の底領域へ達するデップ管１４１２，１４１４を使用してバレル１４０２，１４０４から引き込まれる。デップ管１４１２，１４１４はバングカップ８００の下部８４０（例えば、図１に図示）に受けられる。使用時に、液体が通過できるように各プローブ組立体１２０，１２０ａは開放位置に回転する。プローブ組立体１２０，１２０ａのねじ切り孔２６０はディスペンサ１４１０へ通じる供給ライン１４０６，１４０８へ取り付けられる。ディスペンサで供給ラインが真空にされるときに、プローブ組立体が適正にバングカップへ挿入されかつプローブ組立体が開放位置になれば、溶液はバレルからディスペンサへ引き込まれる。
【００４７】
好適には、カプラー１００と１０１は相互に対して不適合である。例えば、第一バレルに使用されるカプラーは、対応する窪み３２０、突起９２０、係止ペグ３４０および係止チャンネル８３０が軸整列するプローブ組立体１２０およびバングカップ８００を含んでよい。この形態は、図４および９に例示されている。同様に、カプラー１０１は好適には、対応するロックアウト構成要素が軸整列から３０°に配設されるプローブ組立体１２０ａおよびバングカップ８００ａを含む。これは図１２および１３に例示されている。各バレルは特定プローブ組立体にのみ適した相補的形態のバングカップを有する。
【００４８】
図１４は図解を容易にするために２つの化学物質供給源を示す。本発明のディスペンサはより多くの明瞭に区別される化学物質と共に使用できる。衣類洗濯剤、プラント設備に使用されるクリーナ、土壌を除去してスケールをプロセス設備から作るボイルアウト組成物、およびその他の多くの物質を含む種々の物質が本発明の幾何学的ロックアウトカプラーを使用して分配または配合される。本発明で意図されている組成物のカテゴリーは高ｐＨ溶液中のポリ燐酸塩、溶液中の有機物を伴う塩素、高イオン濃度の塩素、および物理的不適合または多層組成物を含む。上記使用は当分野の熟練者に認識されている。
【００４９】
例えば、本願と同日出願の代理人書類番号Ｍ＆Ｇ  １６３１２４４ＵＳ０１による発明の名称"Apparatus for Dispensing Incompatible Chemicals to a Common Utilization Point"に係る同時継続のＵＳ特許出願に説明されたように、クリーニング組成物は硬質、中間質、軟質の水環境での使用のために開発でき、かつここで参考に組み入れられる。
【００５０】
上記説明、例示およびデータは本発明を解説するためであり、かつ本発明の範囲もしくは特許請求の範囲を不当に限定するために使用されるべきでない。多くの形態および変更が本発明の精神および範囲内で行なわれることができ、本発明は添付の特許請求の範囲全体に帰属する。
【図面の簡単な説明】
【図１】  本発明の幾何学的ロックアウトカプラーの分解図である。前記カプラーは内プローブと外プローブで形成されて、組立てたプローブ、およびバングカップを含む。
【図２】  図１に示された内プローブの斜視図である。
【図３】  図１に示された外プローブの斜視図である。
【図４】  図１に示された内外プローブを結合した側面図であり、プローブは完全閉鎖位置で示されている。
【図５】  完全閉鎖位置で示された図１の結合した内外プローブの斜視図である。
【図６】  図１の部分的に開放した結合プローブの側面図である。
【図７】  図示された付加的構成要素を有する図３の７−７線に沿った部分詳細断面図である。
【図８】  図１のバングカップの側面図である。
【図９】  図１のバングカップの斜視図であり、カプラー組立体のユニークなロックアウト幾何学を形成するために共働する係止チャンネルとロックアウト突起間の幾何学的関係を示す。
【図１０】  図１のバングカップの端底面図である。
【図１１】  図８の１１−１１線に沿ったバングカップの断面図である。
【図１２】  ロックアウト窪みが係止ペグとの軸方向整列から３０°離れているプローブの一実施形態の側面図である。
【図１３】  ロックアウト突起が係止ペグとの軸方向整列から３０°にある図１２のプローブに使用されるバングカップの斜視図である。
【図１４】  いくつかの不適合化学物質を分配するために結合して使用される本発明の２つの幾何学的ロックアウトカプラーを示す。説明を簡単にするために、この図面は使用時の２つのカプラーのみを示す。ただし、本発明はかかる形態に限定されない。
【図１】
0004440482.tif 000002
【図２】
0004440482.tif 000003
【図３】
0004440482.tif 000004
【図４】
0004440482.tif 000005
【図５】
0004440482.tif 000006
【図６】
0004440482.tif 000007
【図７】
0004440482.tif 000008
【図８】
0004440482.tif 000009
【図９】
0004440482.tif 000010
【図１０】
0004440482.tif 000011
【図１１】
0004440482.tif 000012
【図１２】
0004440482.tif 000013
【図１３】
0004440482.tif 000014
【図１４】
0004440482.tif 000015